(57)【特許請求の範囲】
【請求項１】
内部にアトリウムを備えた多層建築物に用いられる防災システムであって、
上記多層建築物の各層の居室空間と上記アトリウムとの境界面にそれぞれ開口部を設けて互いに連続した空間とし、
上記各層の居室空間に火災発生を検知するための火災検知器をそれぞれ設けるとともに、これら火災検知器の何れかによって火災発生が検知された場合に、各層の上記開口部を閉鎖する閉鎖手段と、火災層における排気を行う排気設備と、非火災層に加圧空気を供給する給気設備とを設け、さらに、
上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするアトリウムの防災システム。
【請求項２】
内部にアトリウムを備えた多層建築物に用いられる防災システムであって、
上記多層建築物の各層の居室空間と上記アトリウムとの境界面にそれぞれ開口部を設けて互いに連続した空間とし、
上記アトリウムに火災発生を検知するための火災検知器を設けるとともに、この火災検知器によって火災発生が検知された場合に、各層の上記開口部を閉鎖する閉鎖手段と、各層の居室空間に加圧空気を供給する給気設備と、上記アトリウムにおける排気を行うアトリウム排気設備とを設け、さらに、
上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするアトリウムの防災システム。
【請求項３】
上記アトリウム側から上記区画パネルに向けて水噴霧を行う水噴霧装置を設けたことを特徴とする請求項１または２に記載のアトリウムの防災システム。
【請求項４】
上記開口部を閉鎖した状態で上記区画パネルを保持するパネル保持手段を設けたことを特徴とする請求項１〜３の何れかに記載のアトリウムの防災システム。
【請求項５】
上記火災検知器によって火災発生が検知された場合に、上記多層建築物のエレベータ機械室に加圧空気を供給する加圧給気手段を設けたことを特徴とする請求項１〜４の何れかに記載のアトリウムの防災システム。
【請求項６】
内部にアトリウムを備えた多層建築物に用いられる防災システムであって、
上記多層建築物の各層の居室空間と上記アトリウムとの境界面にそれぞれ開口部を設けて互いに連続した空間とし、
上記各層の居室空間に火災発生を検知するための火災検知器をそれぞれ設けて、これら火災検知器の何れかによって火災発生が検知された場合に、各層の上記開口部を閉鎖する閉鎖手段を設けるとともに、
上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするアトリウムの防災システム。
【請求項７】
内部にアトリウムを備えた多層建築物に用いられる防災システムであって、
上記多層建築物の各層の居室空間と上記アトリウムとの境界面にそれぞれ開口部を設けて互いに連続した空間とし、
上記アトリウムに火災発生を検知するための火災検知器を設けて、この火災検知器によって火災発生が検知された場合に、各層の上記開口部を閉鎖する閉鎖手段を設けるとともに、
上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするアトリウムの防災システム。
【発明の詳細な説明】
【０００１】
【発明の属する技術分野】
本発明は、内部にアトリウムを備えた多層建築物に用いられるアトリウムの防災システムに関するものである。
【０００２】
【従来の技術】
近年、多層建築物においては、開放感溢れる内部空間を演出するために、アトリウム（吹抜け）を設けることが多くなってきている。
この種の多層建築物に対応した従来の防災システムとしては、例えば特開２００１−１０４４９９号公報に開示される内部竪穴空間加圧排煙システムが知られている。この排煙システムにおいては、火災発生時に、火災の発生した火災層の排気を行うと同時に、すべての階層に加圧空気を供給して、火災層を減圧状態、非火災層を加圧状態とすることにより、火災層で発生した煙や熱がアトリウムを通じて非火災層に伝わるのを防止するようになっている。
【０００３】
【発明が解決しようとする課題】
しかしながら、上記従来の排煙システムにおいては、各層の居室空間とアトリウムとの間に仕切りがなく互いに連続した空間となっているので、非火災層を加圧状態とするにあたって、非火災層以外の全空間を加圧状態とする必要があり、このため、加圧空気の供給設備に過大な負荷がかかるという問題点があった。
【０００４】
これに対して、各層の居室空間とアトリウムとの間にガラススクリーン等の仕切りを設けて両空間を遮断することにより、火災層から非火災層への煙や熱の伝搬を防止するようにした防災システムも提案されている。ところが、このような防災システムにおいては、各層の居室空間とアトリウムとを区画したことにより、加圧空気の供給設備にかかる負荷を軽減することができるものの、アトリウム本来の開放感が著しく損なわれてしまうという問題点があった。
【０００５】
本発明は、かかる事情に鑑みてなされたもので、火災層で発生した煙や熱がアトリウムを介して非火災層に侵入するのを防止することができ、しかもアトリウムの開放感を損なうことのないアトリウムの防災システムを提供することを目的とする。
【０００６】
【課題を解決するための手段】
請求項１に記載の発明は、内部にアトリウムを備えた多層建築物に用いられる防災システムであって、上記多層建築物の各層の居室空間と上記アトリウムとの境界面にそれぞれ開口部を設けて互いに連続した空間とし、上記各層の居室空間に火災発生を検知するための火災検知器をそれぞれ設けるとともに、これら火災検知器の何れかによって火災発生が検知された場合に各層の上記開口部を閉鎖する閉鎖手段と、火災層における排気を行う排気設備と、非火災層に加圧空気を供給する給気設備とを設け、さらに、上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするものである。
ここで、上記各層の居室空間には、居住、執務、娯楽等の目的のために継続的に用いられる狭義の居室空間が含まれるのみならず、廊下、附室、階段、エレベータホールなど、人が継続的に使用することとなる、アトリウム以外の空間がすべて含まれるものとする。
【０００７】
この請求項１に記載の本発明に係るアトリウムの防災システムによれば、火災検知器によって火災発生が検知された場合に、排気設備により火災層の排気が行われるとともに、給気設備により非火災層に加圧空気が供給され、これにより、火災層が減圧状態、非火災層が加圧状態とされるので、火災層で発生した煙や熱がアトリウムを介して非火災層に侵入するのを防止することができる。しかも、その際に、各層の開口部が閉鎖手段により閉鎖されることとなるので、非火災層を容易に加圧状態とすることができ、給気設備にかかる負荷を大幅に軽減することができる。
また、平常時においては、各層の開口部が開放された状態となるので、アトリウムの開放感が損なわれる心配もない。
【０００８】
請求項２に記載の発明は、内部にアトリウムを備えた多層建築物に用いられる防災システムであって、上記多層建築物の各層の居室空間と上記アトリウムとの境界面にそれぞれ開口部を設けて互いに連続した空間とし、上記アトリウムに火災発生を検知するための火災検知器を設けるとともに、この火災検知器によって火災発生が検知された場合において、各層の上記開口部を閉鎖する閉鎖手段と、各層の居室空間に加圧空気を供給する給気設備と、上記アトリウムにおける排気を行うアトリウム排気設備とを設け、さらに、上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするものである。
【０００９】
この請求項２に記載の本発明に係るアトリウムの防災システムによれば、火災検知器によりアトリウムで火災発生が検知された場合に、アトリウム排気設備によりアトリウム内の排気が行われるとともに、給気設備により各層の居室空間に加圧空気が供給され、これにより、アトリウムが減圧状態、各層の居室空間が加圧状態とされるので、アトリウム内で発生した煙や熱が各層の居室空間に伝搬することを防止することができる。しかも、その際に、各層の開口部が閉鎖手段により閉鎖されることとなるので、各層の居室空間を容易に加圧状態とすることができ、給気設備にかかる負荷を大幅に軽減することができる。また、平常時においては、各層の開口部が開放された状態となるので、アトリウムの開放感が損なわれる心配もない。
【００１０】
請求項６に記載の発明は、内部にアトリウムを備えた多層建築物に用いられる防災システムであって、上記多層建築物の各層の居室空間と上記アトリウムとの境界面にそれぞれ開口部を設けて互いに連続した空間とし、上記各層の居室空間に火災発生を検知するための火災検知器をそれぞれ設けて、これら火災検知器の何れかによって火災発生が検知された場合に、各層の上記開口部を閉鎖する閉鎖手段を設けるとともに、上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするものである。
また、請求項７に記載の発明は、内部にアトリウムを備えた多層建築物に用いられる防災システムであって、上記多層建築物の各層の居室空間と上記アトリウムとの境界面にそれぞれ開口部を設けて互いに連続した空間とし、上記アトリウムに火災発生を検知するための火災検知器を設けて、この火災検知器によって火災発生が検知された場合に、各層の上記開口部を閉鎖する閉鎖手段を設けるとともに、上記各層の居室空間に、上記アトリウムに沿ってそれぞれ腰壁を立設し、各腰壁の内部に、水圧によって昇降しその上昇位置で上記開口部を閉鎖する区画パネルを収納し、当該区画パネルによって上記閉鎖手段を構成したことを特徴とするものである。
【００１１】
請求項１，２，６，７の何れかに記載の発明によれば、火災発生時に各層の開口部を区画パネルで閉鎖するようにしたので、シャッタで開口部を閉鎖する場合と比べて、煙等の漏れが少なくなり、防煙性能を高めることができる。また、平常時には区画パネルが腰壁の内部に収納されるので、区画パネルによってアトリウム周囲の美観が損なわれる心配もない。
また、従来のシャッタの降下による区画形成と異なり、区画パネルの上昇により開口部を閉鎖するようにしたので、区画パネルの移動経路上に万が一障害物が存在していたとしても、その障害物を突き落とすことができ、区画パネルと壁面との間に障害物が挟まって隙間が生じることを防止することができる。
また、区画パネルを水圧によって昇降させるようにしたので、区画パネルの駆動装置として、水噴霧の給水設備（スプリンクラー）を利用することが可能となり、これによってコスト低減を図ることができる。また、区画パネルの昇降に用いられる水が腰壁内に供給されることとなるので、腰壁の耐火性能を高めることもできる。
【００１２】
請求項３に記載の発明は、請求項１または２に記載の発明において、上記アトリウム側から上記区画パネルに向けて水噴霧を行う水噴霧装置を設けたことを特徴とするものである。
【００１３】
この請求項３に記載の発明によれば、アトリウム側から区画パネルに向けて水噴霧が行われるので、区画パネルが熱で変形することを防止することができ、区画パネルの耐火性能を高めることができる。
【００１４】
請求項４に記載の発明は、請求項１〜３の何れかに記載の発明において、上記開口部を閉鎖した状態で上記区画パネルを保持するパネル保持手段を設けたことを特徴とするものである。
ここで、パネル保持手段としては、例えば腰壁および区画パネルの一方に設けた凹部と、他方に設けた爪部との係合により、腰壁に対する区画パネルの移動を規制する形式のものを用いることが可能である。この場合、爪部を上記係合方向に付勢する付勢手段を設けることによって、爪部と凹部との係合状態を安定した状態で保持することができる。
【００１５】
この請求項４に記載の発明によれば、開口部を閉鎖した状態で区画パネルがパネル保持手段により保持されるので、火災時に開口部が開放してしまうことを極力防止することができる。また、平常時においても、例えば居室空間の一部を改装するときなどに、区画パネルを仕切壁として利用することができる。
【００１６】
請求項５に記載の発明は、請求項１〜４の何れかに記載の発明において、上記火災検知器によって火災発生が検知された場合に、上記多層建築物のエレベータ機械室に加圧空気を供給する加圧給気手段を設けたことを特徴とするものである。
【００１７】
この請求項５に記載の発明によれば、火災検知器によって火災発生が検知された場合に、エレベータ機械室に加圧空気が供給されるので、エレベータ機械室やエレベータシャフト内に煙が侵入するのを抑制することができる。
【００１８】
【発明の実施の形態】
図１〜図５は、本発明に係るアトリウムの防災システムの一実施形態を示すもので、図中符号１が建築物（多層建築物）である。この建築物１には、図１に示すように、各層に跨る状態でアトリウム２が設けられ、このアトリウム２と各層の居室空間３との境界面にはそれぞれ開口部１０が設けられて各々の空間が互いに連続した状態となっている。アトリウム２内には、エレベータシャフト６がガラススクリーン等の区画壁６ａによって区画された状態で設けられ、エレベータシャフト６の上方には、エレベータかご８ａを昇降するためのモータやプーリ８ｂ等を設置したエレベータ機械室７が配置されている。また、エレベータシャフト６の他端側には、避難経路となる階段室５が上下層に連続する状態で設けられ、この階段室５と各層の居室空間３との間にはそれぞれ廊下４が設けられている。
【００１９】
そして、アトリウム２には、その下端部に給気口２ａが設けられる一方、上端部には自然排煙口２ｂまたは排煙通路２ｃが設けられ、排煙通路２ｃには、アトリウム２内の空気を吸引して屋外に導くための排煙ファン（アトリウム排気設備）１１が設置されている。また、エレベータ機械室７には、室内に加圧空気を供給するための加圧給気ファン（加圧給気手段）１２が設けられるとともに、室内の余剰空気を排出するための差圧ダンパ１３が設けられている。同様に、階段室５には、加圧給気ファン１４や差圧ダンパ１５が設けられる他、加圧給気ファン１４から吐出される加圧空気を、上層部、中層部および下層部の各々に分配して供給するための給気ダクト１６が設けられている。ただし、給気方法は階段室下部１カ所の場合もありうるため、必ずしも給気ダクトが必要とは限定されない。
【００２０】
そして、各居室の天井面３ａには多数の通気口３ｂが設けられ、各天井面３ａと直上の床スラブとの間には、排気口１７ａと給気口１８ａがそれぞれ設けられている。
各排気口１７ａは、平常時は閉状態とされた排気ダンパ（図示省略）を介して排気ダクト１７ｂにそれぞれ接続されている。この排気ダクト１７ｂは屋外へと延び、その吐出側に排煙ファン１７ｃが取り付けられている。これら排煙ファン１７ｃ、排気ダクト１７ｂ、各排気ダンパおよび各排気口１７ａによって、火災層の排気を行う排気設備１７が構成されている。
【００２１】
一方、各給気口１８ａは、空調機１８ｃから吐出される加圧空気を移送する給気ダクト１８ｂに、給気ダンパ（図示省略）を介して接続されている。空調機１８ｃは、空調機械室等に設置され、平常時においては通常の空調機として機能する一方、火災発生時においては、加圧空気の供給手段として機能するようになっている。これら空調機１８ｃ、給気ダクト１８ｂ、各給気ダンパおよび各給気口１８ａによって、非火災層に加圧空気を供給する給気設備１８が構成されている。
【００２２】
また、各層の居室空間３には、アトリウム２に沿ってそれぞれ腰壁（手摺り）２０が立設され、各腰壁２０の内部には、図２に示すように、水圧によって昇降しその上昇位置で上記開口部１０を閉鎖する区画パネル（閉鎖手段）３０が収納されている。
腰壁２０は、区画パネル３０を収納可能な収納空間２１を内部に有し、上面に区画パネル３０の出入口となる開口２２を有している。また、腰壁２０は、上記収納空間２１の底部に給水孔２３を有し、この給水孔２３を介して、水噴霧装置２９に給水を行う給水ライン２８が接続されている。また、腰壁２０の内壁上部には、区画パネル３０の爪部３２と係合可能な凹部２５が設けられ、この凹部２５の上方には、区画パネル３０を上下方向に案内するための一対のローラ２４が取り付けられている。
【００２３】
区画パネル３０は、軽量なアルミ製のパネル等によって構成されている。この区画パネル３０の上下両端にはそれぞれフランジ３１ａ、３１ｂが設けられ、下端のフランジ３１ｂには、給水孔２３から流入した水を封入するためのシール部材３４が取り付けられている。すなわち、シール部材３４と上記収納空間２１の底部との間隙Ｓに封入された水の圧力によって、区画パネル３０が昇降するようになっている。
【００２４】
また、下端フランジ３１ｂには、図２および図３に示すように、腰壁２０の凹部２５と係合可能な一対の爪部３２が、区画パネル３０の厚み方向に進退自在な状態で取り付けられるとともに、これら爪部３２を上記係合方向に付勢するバネ材３３が取り付けられている。すなわち、上記開口部１０を閉鎖する位置まで区画パネル３０が上昇すると、区画パネル３０の爪部３２が腰壁２０の凹部２５と出会い、その出会った時点で、バネ材３３の付勢力により爪部３２が凹部２５に入り込んで両者が互いに係合した状態となる。この係合状態においては、区画パネル３０が上下方向に移動不能な状態となり、例えば上記間隙Ｓに封入されていた水が抜けたとしても、バネ材３３による付勢によってその状態がそのまま維持されるようになっている。つまり、爪部３２、凹部２５およびバネ材３３によって、上記開口部１０を閉鎖した状態で区画パネル３０を保持するパネル保持手段が構成されている。
【００２５】
一方、上記腰壁２０上方の天井部には、区画パネル３０が上記開口部１０を閉鎖した状態（爪部３２と凹部２５が係合した状態）において、区画パネル３０の上端フランジ３１ａが挿入される溝部３６が設けられている。この溝部３６の近傍には、アトリウム２側から区画パネル３０に向けて水噴霧を行う水噴霧装置２９が設置されている。
【００２６】
そして、各層の居室空間３やアトリウム２内には、熱や煙を感知して火災発生を検知するための火災検知器（図示省略）がそれぞれ設けられている。それら火災検知器の検知信号は、信号線または無線機を介して、防災センタ等に設置された制御装置（図示省略）に送信され、制御装置は、それら検知信号等に基づいて、給水ライン２８の各バルブ２７、各排煙ファン１７ｃ、１１、各排気ダンパ、空調機１８ｃ、各給気ダンパ、各加圧給気ファン１２、１４等の機器を制御するようになっている。なお、各排煙ファン１７ｃ、１１、各加圧給気ファン１２、１４、空調機１８ｃの各々には、その吐出風量を調整可能とするインバータが設けられ、各インバータの制御が上記制御装置によって実行されるようになっている。
【００２７】
上記構成からなる防災システムによれば、平常時には、図１に示すように、区画パネル３０が腰壁２０の内部に収納されて、各層の開口部１０が開放された状態となっている。
そして、例えば図４に示すように、何れかの居室空間３において火災が発生し、この火災発生が火災検知器によって検知されると、その検知信号に基づいて、制御装置が給水ライン２８の各バルブ２７を操作して、各腰壁２０の収納空間２１に水を供給する制御を行う。これにより、各腰壁２０に収納されていた区画パネル３０がそれぞれ水圧で押し上げられて、すべての開口部１０が区画パネル３０で閉鎖される。
【００２８】
さらに、制御装置は、上記検知信号に基づいて、排煙ファン１７ｃ、空調機１８ｃおよび加圧給気ファン１４の各々を作動させるとともに、火災層Ｘの排気口１７ａに通じる排気ダンパ、非火災層の給気口１８ａに通じる給気ダンパをそれぞれ開状態に変換する制御を行う。これにより、火災層Ｘで発生した煙が排気ダクト１７ｂから屋外に導かれるとともに、空調機１８ｃおよび加圧給気ファン１４から吐出された加圧空気が給気ダクト１８ｂ、１６を介して非火災層および階段室５に供給される。
その結果、火災層Ｘが減圧状態、非火災層および階段室５が加圧状態となるので、火災層Ｘで発生した煙や熱がアトリウム２や階段室５を通じて非火災層に侵入するのを防止することができる。
【００２９】
一方、図５に示すように、アトリウム２内において火災が発生し、この火災発生が火災検知器によって検知されると、その検知信号に基づき、制御装置が給水ライン２８の各バルブ２７を操作して、上記居室火災の場合と同様に、各層の開口部１０を区画パネル３０で閉鎖する制御を行う。
また、制御装置は、上記検知信号に基づいて、排煙ファン１１を作動させるとともに、自然排煙口２ｂまたは給気口２ａを開放する制御を行う。これにより、給気口２ａから排煙通路２ｃや自然排煙口２ｂへと向かう上昇気流が形成され、この上昇気流に沿って、アトリウム２内で発生した煙が屋外へと効率良く排出されることとなる。
【００３０】
さらに、制御装置は、上記検知信号に基づいて、空調機１８ｃおよび加圧給気ファン１２、１４の各々を作動させるとともに、各層の給気口１８ａに通じる給気ダンパをそれぞれ開状態に変換する制御を行う。これにより、空調機１８ｃや加圧給気ファン１２、１４から吐出された加圧空気が、各層の居室空間３、階段室５およびエレベータ機械室７の各々に供給される。
その結果、各層の居室空間３、階段室５、エレベータ機械室７およびエレベータシャフト６の各々が加圧状態、アトリウム２が減圧状態となるので、アトリウム２内で発生した煙や熱が各層の居室空間３やエレベータシャフト６等に侵入するのを防止することができる。
また、火災の拡大時には、制御装置が給水ライン２８の各バルブ２７を操作して、各水噴霧装置２９に水を供給する制御を行う。これにより、アトリウム２側の水噴霧装置２９から区画パネル３０に向けて水噴霧が行われる。
【００３１】
以上のように、上記構成からなるアトリウムの防災システムによれば、火災検知器によって火災発生が検知された場合に、排気設備１７により火災層Ｘの排気が行われるとともに、給気設備１８により非火災層に加圧空気が供給され、これにより、火災層Ｘが減圧状態、非火災層が加圧状態とされるので、火災層Ｘで発生した煙や熱がアトリウム２を介して非火災層に侵入するのを防止することができる。
一方、火災検知器によりアトリウム２で火災発生が検知された場合には、排煙ファン１１によりアトリウム２内の排気が行われるとともに、給気設備１８により各層の居室空間３に加圧空気が供給され、これにより、アトリウム２が減圧状態、各層の居室空間３が加圧状態とされるので、アトリウム２内で発生した煙や熱が各層の居室空間３に伝搬するのを防止することができる。
しかも、上記各火災の発生時には、すべての開口部１０が区画パネル３０により閉鎖されることとなるので、非火災層の居室空間３を容易に加圧状態とすることができ、給気設備１８にかかる負荷を大幅に軽減することができる。
【００３２】
また、平常時においては、すべての開口部１０が開放された状態となるので、アトリウム２の開放感が損なわれる心配もない。また、その際に、各区画パネル３０が腰壁２０の内部に収納されることとなるので、区画パネル３０によってアトリウム２周囲の美観が損なわれる心配もない。
また、区画パネル３０の上昇により開口部１０を閉鎖するようにしたので、区画パネル３０の移動経路上に万が一障害物が存在していたとしても、その障害物を突き落とすことができ、区画パネル３０と壁面との間に障害物が挟まって隙間が生じるのを防止することができる。
【００３３】
また、水噴霧の給水ライン２８を利用して、区画パネル３０を昇降させるようにしたので、区画パネル３０を駆動するための設備を別途設ける必要がなくなり、その分コスト低減を図ることができる。また、区画パネル３０の昇降に用いられる水が腰壁２０内に供給されることとなるので、腰壁２０の耐火性能を高めることもできる。
さらに、火災の拡大時には、アトリウム２側から区画パネル３０に向けて水噴霧が行われるので、区画パネル３０が熱で変形することを防止することができ、区画パネル３０の耐火性能を高めることができる。
【００３４】
なお、本実施形態においては、開口部１０を閉鎖する閉鎖手段を区画パネル３０によって構成するようにしたが、例えば、防火シャッタや防煙シャッタによって閉鎖手段を構成することも可能である。この場合には、シャッタのリーク量を予め考慮して加圧空気の供給量を設定することにより、上記区画パネル３０の場合と同様に非火災層を加圧状態で維持することができる。
【００３５】
【発明の効果】
以上説明したように、請求項１に記載の本発明に係るアトリウムの防災システムによれば、火災検知器によって火災発生が検知された場合に、火災層が減圧状態、非火災層が加圧状態とされるので、火災層で発生した煙や熱がアトリウムを介して非火災層に侵入するのを防止することができる。しかも、その際に、各層の開口部が閉鎖手段により閉鎖されることとなるので、給気設備にかかる負荷を大幅に軽減することができる。
また、平常時においては、各層の開口部が開放された状態となるので、アトリウムの開放感が損なわれる心配もない。
【００３６】
請求項２に記載の本発明に係るアトリウムの防災システムによれば、火災検知器によりアトリウムで火災発生が検知された場合に、アトリウムが減圧状態、各層の居室空間が加圧状態とされるので、アトリウム内で発生した煙や熱が各層の居室空間に侵入するのを防止することができる。しかも、その際に、各層の開口部が閉鎖手段により閉鎖されることとなるので、給気設備にかかる負荷を大幅に軽減することができる。また、平常時においては、各層の開口部が開放された状態となるので、アトリウムの開放感が損なわれる心配もない。
【００３７】
請求項１，２，６，７の何れかに記載の発明によれば、シャッタで開口部を閉鎖する場合と比べて、煙等の漏れが少なくなり、防煙性能を高めることができる。また、平常時には区画パネルが腰壁の内部に収納されるので、区画パネルによってアトリウム周囲の美観が損なわれる心配もない。
また、区画パネルを水圧によって昇降させるようにしたので、区画パネルの駆動装置として、水噴霧の給水設備を利用することが可能となり、これによってコスト低減を図ることができる。また、区画パネルの昇降に用いられる水が腰壁内に供給されることとなるので、腰壁の耐火性能を高めることもできる。
【００３８】
請求項３に記載の発明によれば、区画パネルが熱で変形するのを防止することができ、区画パネルの耐火性能を高めることができる。
請求項４に記載の発明によれば、火災時に開口部が開放されてしまうことを極力防止することができる。また、平常時においても、例えば居室空間の一部を改装するときなどに、区画パネルを仕切壁として利用することができる。
請求項５に記載の発明によれば、エレベータ機械室やエレベータシャフト内に煙が侵入するのを抑制することができる。
【図面の簡単な説明】
【図１】本発明に係るアトリウムの防災システムの一実施形態を示す概略構成図である。
【図２】図１の開口部周辺を示す断面図で、（ａ）は開口部を開放した状態、（ｂ）は開口部を閉鎖した状態を示している。
【図３】図２（ｂ）の要部を拡大した断面図である。
【図４】図１の居室で火災が発生したときの状態を示す図である。
【図５】図１のアトリウムで火災が発生したときの状態を示す図である。
【符号の説明】
１    建築物（多層建築物）
２    アトリウム
３    居室空間
７    エレベータ機械室
１０  開口部
１１  排煙ファン（アトリウム排気設備）
１２  加圧給気ファン（加圧給気手段）
１７  排気設備
１８  給気設備
２０  腰壁
２５  凹部（パネル保持手段）
２９  水噴霧装置
３０  区画パネル（閉鎖手段）
３２  爪部（パネル保持手段）
３３  バネ材（パネル保持手段）
【図１】
0003941588.tif 000002
【図２】
0003941588.tif 000003
【図３】
0003941588.tif 000004
【図４】
0003941588.tif 000005
【図５】
0003941588.tif 000006